(57)【要約】      （修正有）【課題】階段などにおいて車椅子を持ち上げる必要がある際に容易且つ確実に車椅子に装着でき不必要時には離脱して携帯することができる車椅子運搬具を提供すること。【解決手段】車椅子の前方に設けられた略水平な水平バーに取付けられる左右一対の運搬具本体１００を備え、該運搬具本体１００は、運搬者が把持可能な把持部１１０と、車椅子の水平バーに着脱可能に取付けられる取付部１３０とを有してなり、該取付部１３０は、水平バーを挿入脱可能な開口部を有するとともに、運搬具本体１００の取付状態で把持部１１０を上方に持ち上げた際に、水平バーの上面および下面にそれぞれ当接して力が作用する上部当接部および下部当接部を有することを特徴とする。【選択図】図１
2010115239.tif 000002
【特許請求の範囲】
【請求項１】
車椅子を人力で持ち上げる際に車椅子に取り付けられる車椅子運搬具であって、
車椅子の前方に設けられた略水平な水平バーに取り付けられる左右一対の運搬具本体を備えてなり、
該運搬具本体は、運搬者が把持可能な把持部と、前記車椅子の水平バーに着脱可能に取り付けられる取付部とを有してなり、
該取付部は、前記水平バーを挿入脱可能な開口部を有するとともに、運搬具本体の取付状態で把持部を上方に持ち上げた際に、水平バーの上面および下面にそれぞれ当接して力が作用する上部当接部および下部当接部を有することを特徴とする車椅子運搬具。
【請求項２】
請求項１記載の車椅子運搬具であって、
前記運搬具本体は、前記把持部と前記取付部とを連結する連結部を備えており、
該連結部は、運搬具本体の取付状態において把持部が取付部よりも前方側に突出するような形状に設けられていることを特徴とする車椅子運搬具。
【請求項３】
請求項１または２記載の車椅子運搬具であって、
前記取付部は、運搬具本体の取付状態で運搬者が把持部を離した際に、運搬具本体が不用意に離脱しない離脱防止手段を有することを特徴とする車椅子運搬具。
【請求項４】
請求項１乃至３の何れかに記載の車椅子運搬具であって、
前記取付部は、運搬具本体の取付状態において、水平バーの両側方にそれぞれ位置する側部を有することを特徴とする車椅子運搬具。
【請求項５】
請求項１乃至４の何れかに記載の車椅子運搬具であって、
前記一対の運搬具本体には、それぞれ、ベルトの一端を装着可能なベルト装着部が設けられていることを特徴とする車椅子運搬具。
【請求項６】
請求項１乃至５の何れかに記載の車椅子運搬具であって、
車椅子の後方に設けられた後方バーに取り付けられる一対の後方バー取付具をさらに備えてなり、
前記後方バー取付具は、前記車椅子の後方バーに着脱可能に取付けられる取付部と、ベルトの一端を装着可能なベルト装着部とを有していることを特徴とする車椅子運搬具。
【発明の詳細な説明】
【技術分野】
【０００１】
本発明は、車椅子運搬具に関するものであり、車椅子に取り付けて車椅子を人力で持ち上げるために使用されるものである。
【背景技術】
【０００２】
従来、この種の車椅子運搬具としては、特許文献１や特許文献２所載のものが提案されている。この特許文献１所載のものは、一対の担ぎ棒に吊り下げ体を介して車椅子を吊り下げて、担ぎ棒の前後を人が担ぎ、車椅子を持ち上げるものである。また、特許文献２所載のものは、一対の担ぎ棒に係止体を介して車椅子を固定して、担ぎ棒の前後を人が担ぎ、車椅子を持ち上げるものである。
【０００３】
しかしながら、この特許文献１および特許文献２所載のものにあっては、担ぎ棒が大きいため、携帯することは不可能であり、駅などに常設する用途にしか適用できないという問題を有している。
【０００４】
また、小さな段差に対応するための車椅子用補助ハンドルとして特許文献３所載のものが公知である。
この特許文献３所載のものは、車椅子の前方上部の上部コーナー部にハンドル固定部によって固定され、該ハンドル固定部より前方上部に突出して補助ハンドルが設けられており、この補助ハンドルを把持することによって小さな段差を乗り越えたり、後方に進行することができるようにするものであった。
しかし、この特許文献３所載の車椅子用補助ハンドルは、上述のように車椅子に固定されているものであるため、該ハンドルの不必要な時に取り外すことが困難であるという問題を有していた。
【０００５】
【特許文献１】特開２００１−３０９９４７号公報
【特許文献２】特開２００４−２１５７３３号公報
【特許文献１】実登３１１４３６３号公報
【発明の開示】
【発明が解決しようとする課題】
【０００６】
そこで、本発明は、上記従来の問題点に着目してなされたものであって、階段などにおいて車椅子を持ち上げる必要がある際に容易且つ確実に車椅子に装着できるとともに不必要時には離脱して携帯することができる車椅子運搬具を提供することを課題とする。
【課題を解決するための手段】
【０００７】
本発明は、上記課題を解決すべく、車椅子を人力で持ち上げる際に車椅子に取り付けられる車椅子運搬具であって、車椅子の前方に設けられた略水平な水平バーに取り付けられる左右一対の運搬具本体を備えてなり、該運搬具本体は、運搬者が把持可能な把持部と、前記車椅子の水平バーに着脱可能に取り付けられる取付部とを有してなり、該取付部は、前記水平バーを挿入脱可能な開口部を有するとともに、運搬具本体の取付状態で把持部を上方に持ち上げた際に、水平バーの上面および下面にそれぞれ当接して力が作用する上部当接部および下部当接部を有することを特徴とする。
【０００８】
上記構成からなる本発明の車椅子運搬具にあっては、車椅子の水平バーを開口部を介して挿入して、該水平バーに取付部によって運搬具本体を取り付けて、この運搬具本体の把持部を一の運搬者が把持するとともに車椅子の後方の既設の把持部を他の運搬者が把持することによって車椅子を持ち上げることができる。この際に、前記水平バーには、取付部の上部当接部と下部当接部とが当接して、把持部からの力が車椅子に伝達するため、的確に車椅子を持ち上げることができる。また、運搬終了後にあっては、車椅子の水平バーを開口部から挿脱することによって、運搬具本体を容易に離脱することができる。さらに、上述のように一対の運搬具本体は、一の運搬者によって把持されるものであるので、上記従来例の担ぎ棒のように大きく設ける必要がなく、このため、たとえば車椅子の背面の収納部に収納する等、携帯することが可能である。
【０００９】
また、本発明の車椅子運搬具にあっては、運搬具本体が、前記把持部と前記取付部とを連結する連結部を備え、該連結部本体が、運搬具本体の取付状態において把持部が取付部よりも前方側に突出するような形状に設けられている構成を採用することが好ましい。
これによって、運搬具本体を取り付けた際に、把持部が前方側に突出するため、運搬者が把持して持ち上げやすい利点を有する。
【００１０】
さらに、本発明の車椅子運搬具にあっては、取付部が、運搬具本体の取付状態で運搬者が把持部を離した際に、運搬具本体が不用意に離脱しない離脱防止手段を有する構成を採用することが好ましい。
これにより、運搬具本体を取り付けた直後や運搬終了時において運搬者が取付具本体から手を離しても、離脱防止手段によって、運搬具本体の取付状態が維持できることとなり、運搬具本体が自重によって車椅子から不用意に離脱することを防止できる。
【００１１】
また、本発明の車椅子運搬具にあっては、取付部が、運搬具本体の取付状態において、水平バーの両側方にそれぞれ位置する側部を有する構成を採用することが好ましい。
これにより、運搬具本体を車椅子に取り付けた際に、水平バーの両側方には取付部の側部が位置するため、運搬具本体に不用意に接触して運搬具本体に横方向に力が作用しても、運搬具本体が不用意に離脱しにくい利点を有する。
【００１２】
また、本発明の車椅子運搬具にあっては、一対の運搬具本体には、それぞれ、ベルトの一端を装着可能なベルト装着部が設けられている構成を採用することが好ましい。
これによって、一対の運搬具本体のベルト装着部にベルトの両端をそれぞれ装着して、このベルトを運搬者の両肩にかけることができる。このため、車椅子の前方側の運搬者は、両手で把持部を把持するとともに、両肩にベルトをかけた状態で、容易に車椅子を持ち上げることができるという利点を有する。
【００１３】
さらに、本発明の車椅子運搬具にあっては、車椅子の後方に設けられた後方バーに取り付けられる一対の後方バー取付具をさらに備えてなり、前記後方バー取付具は、前記車椅子の後方バーに着脱可能に取り付けられる取付部と、ベルトの一端を装着可能なベルト装着部とを有している構成を採用することが好ましい。
これによって、一対の後方バー取付具にベルトの両端をそれぞれ装着して、このベルトを運搬者の両肩にかけることができる。このため、車椅子の後方側の運搬者は、両手で車椅子の後方の既設の把持部を把持するとともに、両肩にベルトをかけた状態で、容易に車椅子を持ち上げることができるという利点を有する。
【発明を実施するための最良の形態】
【００１４】
以下、本発明を実施するための最良の形態を図面を参酌しつつ説明する。
図１は本発明の実施の形態に係る車椅子運搬具を車椅子に取り付けた状態を示す概略的側面図、図２は本発明の実施の形態に係る車椅子運搬具の運搬具本体の概略的側面図、図３は本発明の実施の形態に係る車椅子運搬具の運搬具本体の取付部の取付状態の概略的斜視図、図４は本発明の他の実施の形態に係る車椅子運搬具の運搬具本体の取付部の概略的斜視図である。
【００１５】
本発明の実施の形態に係る車椅子運搬具は、車椅子５００の前方に設けられた略水平な水平バー５１０に取り付けられる左右一対の運搬具本体１００、該一対の運搬具本体１００の前方ベルト装着部１２１に取り付けられるベルト２００、車椅子５００の後方に設けられた後方バー５３０に取り付けられる左右一対の後方バー取付具３００、および、該一対の後方バー取付具３００に取り付けられるベルト４００を備えている。
【００１６】
前記後方バー取付具３００は、車椅子５００の肘受けに相当する略水平な後方バー５３０に横方向から取り付けられるものであって、上方に突出して後方ベルト装着部（図示省略）が設けられている。そして、この一対の後方バー取付具３００には、前記後方ベルト装着部を介してベルト４００が連結されている。すなわち、１本のベルト４００の両端に後方バー取付具３００がそれぞれ連結されているのである。かかる後方取付バー３００を利用してベルト４００を車椅子に取り付けると、車椅子５００の後方側の把持部５２０を把持した運搬者はその肩にベルト４００を掛けることができる。
【００１７】
また、前記運搬具本体１００は、運搬者が把持可能な把持部１１０、前記車椅子５００の水平バー５１０に着脱可能に取り付けられる取付部１３０、および、前記把持部１１０と取付部１３０とを連結する連結部１２０を備えており、該連結部１２０は、運搬具本体１００の取付状態において把持部１１０が取付部１３０よりも前方上方側に突出するような形状に設けられている。また、該連結部１２０には、把持部１１０近傍において、その上方に、前記前方ベルト装着部１２１として作用する小孔が設けられている。そして、この一対の運搬具本体１００の前方ベルト装着部１２１に装着されたベルト２００は、車椅子５００の水平バー５１０に取り付けられた運搬具本体１００の把持部１１０を把持した運搬者の肩に掛けられるように設けられている。
【００１８】
前記運搬具本体１００の取付部１３０は、下向きに開口した正面視略コの字状の上部当接部材１３１と、上向きに開口した正面視略コの字状の下部当接部材１３３とを備えており、前記上部当接部材１３１は、後端側に設けられており、前記下部当接部材１３３は、上部当接部材１３１から前方側に一定間隔をあけた位置に設けられている。ここで、上部当接部材１３１と下部当接部材１３３との間隔は、水平バー５１０の太さよりも若干大きく設けられている。つまり、この上部当接部材１３１と下部当接部材１３３との間から水平バー５１０を挿入して、運搬具本体１００を回動させることにより上部当接部材１３１および下部当接部材１３３のコの字状の中に水平バー５１０を収容させることによって、運搬具本体１００が水平バー５１０に取り付けられることになる。すなわち、前記上部当接部材１３１と下部当接部材１３３との間が、本実施形態においては、「水平バー５１０を挿入脱可能な開口部」として機能することになる。
【００１９】
また、前記上部当接部材１３１は、そのコの字状の底部（上面）が、運搬具本体１００の取付状態で把持部１１０を上方に持ち上げた際に、水平バー５１０の上面に当接して力が作用する上部当接部として機能する。また、前記下部当接部材１３３は、そのコの字状の底部（下面）が、運搬具本体１００の取付状態で把持部１１０を上方に持ち上げた際に、水平バー５１０の下面に当接して力が作用する下部当接部として機能する。ここで、上部当接部材１３１および下部当接部材１３３は、運搬具本体１００の取付状態において、上部当接部が下部当接部よりも水平バー５１０の太さ分だけ上方に位置するように設けられている。
【００２０】
さらに、前記下部当接部材１３３は、復元弾性力を有しており、この下部当接部材１３３の自由端部１３３ａ（底部から上方に向けて立ち上がるとともに自由端側に位置する端部）が、その復元弾性力によって、運搬具本体１００の取付状態において水平バー５１０の上方に位置するように設けられている。また、同様に前記上部当接部材１３１は、復元弾性力を有しており、この上部当接部材１３１の自由端部１３１ａ（底部から下方に向けて垂下するとともに自由端側に位置する端部）が、その復元弾性力によって、運搬具本体１００の取付状態において水平バー５１０の下方に位置するように設けられている。つまり、運搬具本体１００の開口部に水平バー５１０を挿入した状態から、取付状態まで回動させた際には、前記各自由端部１３１ａ，１３３ａはその弾性力によって水平バー５１０がコの字状の部分に嵌り込むことを許容して、嵌り込んだ後には該自由端部１３１ａ，１３３ａは復元弾性力によって水平バー５１０の上部または下部に位置するように設けられている。すなわち、該下部当接部材１３３および上部当接部材１３１の各自由端部１３１ａ，１３３ａは、運搬具本体１００の取付状態で運搬者が把持部１１０を離した際に、運搬具本体１００が不用意に離脱しない離脱防止手段として機能することなる。
【００２１】
上記構成からなる本発明の実施の形態に係る車椅子運搬具にあっては、車椅子５００の水平バー５１０を開口部に挿入し、運搬具本体１００を回動させることにより、運搬具本体１００が水平バー５１０に取り付けられ、この運搬具本体１００の把持部１１０を一の運搬者が把持するとともに車椅子５００の後方の既設の把持部５２０を他の運搬者が把持することによって車椅子５００を持ち上げることができる。特に、運搬具本体１００の連結部１２０が、運搬具本体１００の取付状態において把持部１１０が取付部１３０よりも前方上方側に突出するような形状に設けられているので、運搬具本体１００を取り付けた際に、把持部１１０が前方上方側に突出するため、運搬者が把持して持ち上げやすい利点を有する。
【００２２】
さらに、一対の運搬具本体１００の前方ベルト装着部１２１にベルト２００の両端をそれぞれ装着して、このベルト２００を運搬者の両肩にかけることができる。また、一対の後方バー取付具３００を車椅子５００に取り付けて、この後方バー取付具３００にベルト４００の両端をそれぞれ装着して、このベルト４００を運搬者の両肩にかけることができる。
【００２３】
また、本発明の実施の形態に係る車椅子運搬具にあっては、取付部１３０の上部当接部材１３１および下部当接部材１３３が、略コの字状の形状からなるため、運搬具本体１００は、取付状態において、水平バー５１０の両側方にそれぞれ位置する側部を有する構成となり、このため、運搬具本体１００を車椅子５００に取り付けた際に、水平バー５１０の両側方には取付部１３０の側部が位置し、運搬具本体１００に不用意に接触して運搬具本体１００に横方向に力が作用しても、運搬具本体１００が不用意に離脱しにくい。
【００２４】
さらに、本発明の実施の形態に係る車椅子運搬具にあっては、取付部１３０が、運搬具本体１００の取付状態で運搬者が把持部１１０を離した際に、運搬具本体１００が不用意に離脱しない離脱防止手段１３１ａ，１３３ａを有するため、運搬具本体１００を取り付けた直後や運搬終了時において運搬者が取付具本体から手を離しても、運搬具本体１００の取付状態が維持できることとなり、運搬具本体１００が自重等によって車椅子５００から不用意に離脱することを防止できる。
【００２５】
なお、本実施形態は上記構成からなるため上記利点を有するものであったが、本発明の意図する範囲内で適宜設計変更可能である。
つまり、本発明において、運搬具本体１００の取付部１３０の構成は上記実施形態のものに限定されるものではなく、本発明の意図する範囲内で適宜設計変更可能であり、たとえば、図４に示す構造の取付部１３０を採用することも本発明の意図する範囲内である。
【００２６】
この図４に示す取付部１３０は、約１ピッチ分の螺旋形状からなり、その螺旋の半径が水平バー５１０よりも若干大きく設けられているとともに、ピッチの始端１３５と終端１３６との間が水平バー５１０よりも若干広く設けられており、この始端１３５と終端１３６との間から水平バー５１０を挿入して、螺旋形状に沿って運搬具本体１００を回動せしめて車椅子５００に取り付けられるものである。
【００２７】
また、後方バー取付具３００は、車椅子５００の肘受けに相当する略水平な後方バー５３０に取り付けられるとしたが、車椅子５００の後方側に突出した把持部５２０に取り付けられるようにしてもらいことは勿論である。
【００２８】
前記後方バー取付具３００は、車椅子５００の肘受けに相当する略水平な後方バー５３０に横方向から取り付けられるものであって、上方に突出して後方ベルト装着部（図示省略）が設けられている。そして、この一対の後方バー取付具３００には、前記後方ベルト装着部を介してベルト４００が連結されている。すなわち、１本のベルト４００の両端に後方バー取付具３００がそれぞれ連結されているのである。かかる後方取付バー３００を利用してベルト４００を車椅子に取り付けると、車椅子５００の後方側の把持部５２０を把持した運搬者はその肩にベルト４００を掛けることができる。
【図面の簡単な説明】
【００２９】
【図１】本発明の実施の形態に係る車椅子運搬具を車椅子に取り付けた状態を示す概略的側面図である。
【図２】本発明の実施の形態に係る車椅子運搬具の運搬具本体の概略的側面図である。
【図３】本発明の実施の形態に係る車椅子運搬具の運搬具本体の取付部の取付状態の概略的斜視図である。
【図４】本発明の他の実施の形態に係る車椅子運搬具の運搬具本体の取付部の概略的斜視図である。
【符号の説明】
【００３０】
１００    運搬具本体
１１０    把持部
１２０    連結部
１２１    前方ベルト装着部
１３０    取付部
１３１    上部当接部材
１３１ａ  自由端部
１３３    下部当接部材
１３３ａ  自由端部
２００    ベルト
３００    後方バー取付具
４００    ベルト
５００    車椅子
５１０    水平バー
５２０    把持部
５３０    後方バー
【図１】
2010115239.tif 000003
【図２】
2010115239.tif 000004
【図３】
2010115239.tif 000005
【図４】
2010115239.tif 000006